(57)【要約】      （修正有）【課題】テーブル等に簡単に設置することができると共に、使用目的によって最適な位置に仕切り板を設置させることができるパーテーションユニットを提供する。【解決手段】パーテーションユニット１０は、被設置面に載置される脚部２０と、脚部２０に着脱自在にポール下端部４２が取り付けられ、上方に延設されたポール４０と、ポール上端部４３に着脱自在に設けられ、水平方向に延設されると共に、水平方向に沿って一定間隔で設けられた４つの取付部５３を有する支持アーム５０と、取付部５３に取り付けられ、一定間隔で設けられた孔部６２を有する透明板６１とを備えている。【選択図】図１
0003228801.tif 000002
【実用新案登録請求の範囲】
【請求項１】
被設置面に載置される脚部と、
この脚部に着脱自在に基端部が取り付けられ、上方に延設されたポールと、
このポールの上端に着脱自在に設けられ、水平方向に延設されると共に、水平方向に沿って一定間隔で設けられた複数の取付部を有する支持アームと、
この支持アームに吊下げられ、前記取付部に取り付けられ、前記一定間隔と同一の間隔で設けられた被取付部を有する透明板とを備えていることを備えていることを特徴とするパーテーションユニット。
【請求項２】
前記取付部の数に対し、前記被取付部の数が多く設けられていることを特徴とする請求項１に記載のパーテーションユニット。
【請求項３】
前記脚部を前記被設置面に固定する固定クリップをさらに備えていることを特徴とする請求項１に記載のパーテーションユニット。
【請求項４】
前記脚部は、前記固定クリップと係合する係止部を複数備えていることを特徴とする請求項３に記載のパーテーションユニット。
【考案の詳細な説明】
【技術分野】
【０００１】
本考案は、テーブル等の上に設置するパーテーションユニットに関するものである。
【背景技術】
【０００２】
近年、ウイルス・菌等の飛沫感染対策として、会議や食事の際に隣席との間に透明のアクリル板やビニール等のパーテーションを用いて仕切る必要が生じることが多くなっている。一方、パーテーションユニットとしては、銀行窓口や駅切符売り場等のカウンタテーブル等に設置し、窓口の内外を仕切る対面パーテーションユニットは様々なものが知られている（例えば、特許文献１参照。）。
【先行技術文献】
【特許文献】
【０００３】
【特許文献１】実用新案登録第３２２６６６７号公報
【考案の概要】
【考案が解決しようとする課題】
【０００４】
上述したようにパーテーションユニットにあっては、次のような問題があった。すなわち、上述したパーテーションユニットはいわゆる対面式で、かつ、据置型であることから、会議や食事の際に用いるテーブル等に設置するには不向きであった。また、テーブルはその形や寸法等が異なり、また、使用目的等によって適切な設置位置が異なることから、設置や固定位置を決めることが難しかった。
【０００５】
本考案は、このような課題に鑑みてなされたものであり、その目的とするところは、テーブル等に簡単に設置することができると共に、使用目的によって最適な位置に仕切り板を設置させることができるパーテーションユニットを提供することにある。
【課題を解決するための手段】
【０００６】
本考案のパーテーションユニットは、被設置面に載置される脚部と、このベース部に着脱自在に基端部が取り付けられ、上方に延設された柱状部と、この柱状部の上端に着脱自在に設けられ、水平方向に延設されると共に、水平方向に沿って一定間隔で設けられた複数の取付部を有する支持アームと、この支持部に吊下げられ、前記取付部に取り付けられ、前記一定間隔と同一の間隔で設けられた被取付部を有する透明板とを備えていることを備えている。
【考案の効果】
【０００７】
本考案のパーテーションユニットによれば、テーブル等に簡単に設置することができると共に、使用目的によって最適な位置に仕切り板を設置させることができる。
【図面の簡単な説明】
【０００８】
【図１】本考案の実施形態であるパーテーションユニットを示す斜視図である。
【図２】同パーテーションユニットの脚部を拡大して示す斜視図である。
【図３】同脚部を示す縦断面図である。
【図４】同パーテーションユニットの使用例を示す説明図である。
【図５】同パーテーションユニットの変形例を示す斜視図である。
【考案を実施するための形態】
【０００９】
以下、図面を参照しつつ本考案の実施形態について説明する。
【００１０】
図１は本考案の実施形態であるパーテーションユニット１０を示す斜視図、図２はパーテーションユニット１０の脚部２０を拡大して示す斜視図、図３は脚部２０を示す縦断面図である。パーテーションユニット１０は、会議や食事等が行われるテーブル上に設置して、隣席との間の仕切ることで、ウイルス・菌等の飛沫感染対策を行うように機能する。
【００１１】
図１に示すように、パーテーションユニット１０は、テーブルＴの上面（被設置面）Ｔａの任意の位置に載置される脚部２０を備えている。脚部２０は硬質の樹脂等で形成されている。図２に示すように、脚部２０は、ベース部２１と、このベース部２１の一方の端部側に設けられた係止部２２と、１組の横側係止部２３を備えている。また、ベース部２１の他方の端部側には円錐状の支持台２４が設けられている。
【００１２】
支持台２４の中央には後述するポール４０を支持する円筒部２４ａと、この円筒部２４ａの下部に設けられた有底状の支持筒２４ｂを備えている。
【００１３】
脚部２０は、樹脂材製又は金属材製の弾性を有する固定クリップ３０を取り付けることで、テーブルＴに固定するようにしても良い。固定クリップ３０は、テーブルＴの上面Ｔａに下面が接するベース３１と、このベース３１と一体的に形成され、下方に延出される縦部位３２と、この縦部位３２と一体的に形成され、上前方へ延出される傾斜部３３と、この傾斜部３３と一体的に形成された押さえ部３４とを備えている。
【００１４】
ベース３１と押さえ部３４との間隔は、固定クリップ３０全体の弾性によって狭まる方向に付勢されている。なお、固定クリップ３０の弾性力は人の力によって容易に拡げられ、かつ、脚部２０をテーブルＴに固定できる程度に設定されている。ベース３１は、脚部２０の係止部２２又は横側係止部２３に係合される。
【００１５】
支持台２４にはポール４０が着脱自在に取り付けられている。ポール４０は、ポール本体４１と、ポール下端部４２と、ポール上端部４３とを備えている。ポール下端部４２の外径は支持筒２４ｂの内径はほぼ同じ寸法となっており、ポール下端部４２は、支持筒２４ｂに嵌合される。ポール４１は、ポール下部４１ａとポール上部４１ｂに分割でき、収納時には小型化できる。
【００１６】
ポール上端部４３には、Ｔ字状の支持アーム５０が着脱自在に取り付けられている。支持アーム５０は、円筒状のブラケット５１と、このブラケット５１から水平方向に延設される支持アーム５２を備えている。ブラケット５１の内径は、ポール上端部４３の外径とほぼ同じ寸法となっており、ポール上端部４３は、ブラケット５１に嵌合される。支持アーム５２には一定間隔δで４つの取付部５３が取り付けられている。取付部５３にはネジ部材５４が着脱自在に取り付けられている。
【００１７】
取付部５３には、仕切板６０が取り付けられている。仕切板６０は、アクリル材製で矩形状に形成された透明板６１を備えている。この透明板６１の上部には、一定間隔δで設けられた５つの孔部（被取付部）６２が設けられている。
【００１８】
このように構成されたパーテーションユニット１０は、次のようにして用いる。図４は、パーテーションユニット１０の使用例を示す説明図である。脚部２０を固定クリップ３０を用いてテーブルＴに固定する。この時、固定クリップ３０のベース３１を脚部２０の係止部２２のうちいずれかに係合する。これにより、固定クリップ３０が脚部２０から脱落することを防止できる。なお、テーブルＴと脚部２０との位置関係や、透明板６１を設置する向きに応じて、他の係止部２２や横側係止部２３を用いてもよい。
【００１９】
次に、ポール４０のポール下端部４２を円筒部２４ａに挿入し、支持筒２４ｂ内にポール下端部４２を固定する。次に、ポール上端部４３に支持アーム５０のブラケット５１を挿入する。
【００２０】
次に、支持アーム５０の取付部５３と透明板６１の孔部６２を位置合わせし、ネジ部材５４によって締結する。なお、透明板６１を設置する位置に応じて、支持アーム５０の取付部５３に取り付ける透明板６１の孔部６２を選択する。
【００２１】
このように構成されたパーテーションユニット１０によれば、脚部２０をテーブルＴの任意の位置に簡単に設置することができると共に、固定クリップ３０により強固に取り付けることができる。また、透明板６１は支持アーム５０により支持されているので、テーブルＴの上に載置する部分は脚部２０のみであり、テーブルＴの上面Ｔａを利用する領域を据置型のパーテーションユニット等と比べて大幅に抑えることができる。
【００２２】
また、支持アーム５０の取付部５３よりも多くの透明板６１の孔部６２を設けることで、透明板６１の位置を柔軟に変更することができ、会議の場合と食事の場合、またテーブルＴの大きさや寸法、参加人数等に応じて、適宜変更することができる。
【００２３】
なお、上述したように透明板６１の上部を固定しているので、透明板６１の下方にはスペースを取ることができ、図５に示すように、給仕者Ｓが客Ｈに給仕する際に食器Ｃを配膳しやすくなる。
【００２４】
図５は、パーテーションユニット１０の変形例に係るパーテーションユニット１０Ａを示す斜視図である。なお、図５において、図１〜図４と同一機能部分には同一符号を付し、その詳細な説明は省略する。
【００２５】
パーテーションユニット１０Ａは、上述した脚部２０の代わりに脚部７０を用いている。脚部７０は、固定クリップ等でテーブルＴに固定するものではなく、単に上面Ｔａに載置する。この場合、脚部７０は脚部２０より重量を増して、安定させることが好ましい。また、上述した支持アーム５０の代わりに支持アーム８０を用いている。支持アーム８０は、円筒状のブラケット８１と、このブラケット８１から水平方向に延設される支持アーム８２を備えている。ブラケット８１の内径は、ポール上端部４３の外径とほぼ同じ寸法となっており、ポール上端部４３は、ブラケット８１に嵌合される。支持アーム８２には一定間隔δで４つのフック８３が取り付けられている。フック８３には、仕切板６０の孔部６２が引掛けられる。
【００２６】
このように構成されたパーテーションユニット１０Ａによっても、上述したパーテーションユニット１０と同様の効果を得ることができる。
【００２７】
以上、本考案の実施形態について説明したが、本考案はこれに限定されることなくその趣旨を逸脱しない範囲で種々の改良・変更が可能であることは勿論である。
【００２８】
例えば、上述した例では透明板としてアクリル板を用いたが、透明であれば他の材質のものを用いても良い。また、透明板の大きさ・形状は目的に応じて種々変更可能である。さらに、脚部の形状は安定したものであれば、特に限定されない。
【産業上の利用可能性】
【００２９】
本考案は、会議や食事等が行われるテーブル上に設置して、隣席との間の仕切ることで、ウイルス・菌等の飛沫感染対策を行うパーテーションユニットとして有効である。
【符号の説明】
【００３０】
１０…パーテーションユニット、１０Ａ…パーテーションユニット、２０…脚部、２１…ベース部、２２…係止部、２３…横側係止部、２４…支持台、２４ａ…円筒部、２４ｂ…支持筒、３０…固定クリップ、３１…ベース、３２…縦部位、３３…傾斜部、３４…押さえ部、４０…ポール、４１…ポール本体、４２…ポール下端部、４３…ポール上端部、５０…支持アーム、５１…ブラケット、５２…支持アーム、５３…取付部、５４…ネジ部材、６０…仕切板、６１…透明板、６２…孔部（被取付部）、７０…脚部、８０…支持アーム、８１…ブラケット、８２…支持アーム、８３…フック、Ｔ…テーブル、Ｓ…給仕者、Ｈ…客、Ｃ…食器。
【図１】
0003228801.tif 000003
【図２】
0003228801.tif 000004
【図３】
0003228801.tif 000005
【図４】
0003228801.tif 000006
【図５】
0003228801.tif 000007